(57)【特許請求の範囲】
【請求項１】
センサーライトと親機とが通信可能な監視システムであって、
前記親機は、前記センサーライトの点灯に関するシナリオをユーザが操作する通信端末から受信すると、前記センサーライトにより検知されるイベントの発生を前記ユーザに促す指示を前記通信端末に表示させ、
前記センサーライトは、前記親機との間の通信を一時的に中断している状態を示すスリープモード中に前記イベントを検知した場合に、スリープモードをオフにし、前記イベントの検知通知を前記親機に送信し、
前記親機は、前記イベントの検知通知を受信すると、前記イベントの検知通知への応答とともに通信継続指示を前記センサーライトに送信し、
前記センサーライトは、前記通信継続指示の受信に基づいて、前記スリープモードのオフ状態を継続する、
監視システム。
【請求項２】
請求項１に記載の監視システムであって、
前記親機は、メモリを有し、
前記シナリオを受信すると、前記親機は、前記シナリオのデータを前記メモリに記憶し、さらに前記シナリオのデータを前記センサーライトに送信して設定させる、
監視システム。
【請求項３】
請求項１又は２に記載の監視システムであって、
前記センサーライトは、前記イベントとして、移動体の存在又は移動体の動きを検知する、
監視システム。
【請求項４】
請求項２に記載の監視システムであって、
前記親機は、前記シナリオのデータの削除指示に応じて、前記メモリに記憶した前記シナリオのデータを削除するとともに、通信継続解除指示を前記センサーライトに送信し、
前記センサーライトは、前記通信継続解除指示の受信に基づいて、前記スリープモードのオン状態に移行する、
監視システム。
【請求項５】
センサーライトと親機とが通信可能な監視システムにおける監視方法であって、
前記親機は、前記センサーライトの点灯に関するシナリオをユーザが操作する通信端末から受信すると、前記センサーライトにより検知されるイベントの発生を前記ユーザに促す指示を前記通信端末に表示させ、
前記センサーライトは、前記親機との間の通信を一時的に中断している状態を示すスリープモード中に前記イベントを検知した場合に、スリープモードをオフにし、前記イベントの検知通知を前記親機に送信し、
前記親機は、前記イベントの検知通知を受信すると、前記イベントの検知通知への応答とともに通信継続指示を前記センサーライトに送信し、
前記センサーライトは、前記通信継続指示の受信に基づいて、前記スリープモードのオフ状態を継続する、
監視方法。
【発明の詳細な説明】
【技術分野】
【０００１】
本発明は、移動体の動きを検知すると点灯するセンサーライトを含む監視システム、及び監視システムにおける監視方法に関する。
【背景技術】
【０００２】
従来、移動体（例えば人物）の接近や所在等の人感を検知することにより点灯するセンサーライトとセンサーライトとの間で通信のやり取りを行う親機とが組み込まれた監視システムの製品化が検討されている。
【０００３】
また、人感センサの人感検知結果に基づいて発光部の点灯又は消灯を制御する先行技術として、例えば特許文献１に記載のＬＥＤ照明装置が知られている。このＬＥＤ照明装置は、人体からの赤外線を検知する人感センサを有し、人感センサによる人感検知があった場合には通常点灯する。一方、ＬＥＤ照明装置は、人感センサによる人感検知がなかった場合には弱点灯するが、この際、ＬＥＤ照明装置自身の点灯状態を外部の他のＬＥＤ照明装置に送信して他のＬＥＤ照明装置と連携する。そして、他のＬＥＤ照明装置が点灯すると、ＬＥＤ照明装置自身は、他のＬＥＤ照明装置からの制御信号の転送を受けて消灯する。
【先行技術文献】
【特許文献】
【０００４】
【特許文献１】特開２０１２−２２６９４５号公報
【発明の概要】
【発明が解決しようとする課題】
【０００５】
しかしながら、特許文献１の構成では、ＬＥＤ照明装置が他のＬＥＤ照明装置との間で通信可能状態を常に確立したうえで連携していなければならず、ＬＥＤ照明装置と他のＬＥＤ照明装置との間の通信による電力消費が増大するという課題がある。この構成を上記監視システムにおけるセンサーライトと親機との間の連携に適用すると、センサーライトと親機との間の通信による電力消費が増大することになる。特に、センサーライトがバッテリ駆動である場合、電力消費量の増加により頻繁なバッテリの交換を余儀なくされ、監視システムとしての使い勝手が悪かった。
【０００６】
本発明は、上述した従来の状況に鑑みてなされたものであり、センサーライトを常時通信させることなく、親機との間における情報の送受信のために連携するときに限って常時通信を行い、センサーライトの省電力化が図れるとともに使い勝手の劣化を抑制する監視システムを提供することを目的とする。
【課題を解決するための手段】
【０００７】
本発明は、センサーライトと親機とが通信可能な監視システムであって、前記親機は、前記センサーライトの点灯に関するシナリオをユーザが操作する通信端末から受信すると、前記センサーライトにより検知されるイベントの発生を前記ユーザに促す指示を前記通信端末に表示させ、前記センサーライトは、前記親機との間の通信を一時的に中断している状態を示すスリープモード中に前記イベントを検知した場合に、スリープモードをオフにし、前記イベントの検知通知を前記親機に送信し、前記親機は、前記イベントの検知通知を受信すると、前記イベントの検知通知への応答とともに通信継続指示を前記センサーライトに送信し、前記センサーライトは、前記通信継続指示の受信に基づいて、前記スリープモードのオフ状態を継続する、監視システムを提供する。
【０００８】
また、本発明は、センサーライトと親機とが通信可能な監視システムにおける監視方法であって、前記親機は、前記センサーライトの点灯に関するシナリオをユーザが操作する通信端末から受信すると、前記センサーライトにより検知されるイベントの発生を前記ユーザに促す指示を前記通信端末に表示させ、前記センサーライトは、前記親機との間の通信を一時的に中断している状態を示すスリープモード中に前記イベントを検知した場合に、スリープモードをオフにし、前記イベントの検知通知を前記親機に送信し、前記親機は、前記イベントの検知通知を受信すると、前記イベントの検知通知への応答とともに通信継続指示を前記センサーライトに送信し、前記センサーライトは、前記通信継続指示の受信に基づいて、前記スリープモードのオフ状態を継続する、監視方法を提供する。
【発明の効果】
【０００９】
本発明によれば、センサーライトを常時通信させることなく、親機との間で連携するときに限って常時通信を開始させることができるので、センサーライトの省電力化が図れるとともに使い勝手の劣化を抑制することができる。
【図面の簡単な説明】
【００１０】
【図１】本実施形態のセンサーライトが組み込まれた監視カメラシステムのシステム構成の一例を示す図
【図２】本実施形態の監視カメラシステムにおける親機の内部構成の一例を示すブロック図
【図３】本実施形態の監視カメラシステムにおける子機の内部構成の一例を示すブロック図
【図４】本実施形態の監視カメラシステムにおけるカメラの内部構成の一例を示すブロック図
【図５】本実施形態の監視カメラシステムにおけるセンサの内部構成の一例を示すブロック図
【図６】本実施形態の監視カメラシステムにおけるスマートフォンの内部構成の一例を示すブロック図
【図７】本実施形態の監視カメラシステムにおけるスマートプラグの内部構成の一例を示すブロック図
【図８】本実施形態の監視カメラシステムにおけるセンサーライトの内部構成の一例を示すブロック図
【図９】本実施形態のセンサーライトの外観の一例を示す斜視図
【図１０】スマートコントロール設定テーブルの登録内容の一例を示す図
【図１１】スマートフォンに表示されるスマートコントロール設定画面の一例を示す図
【図１２】スマートコントロールが未設定時におけるセンサーライトと親機との間の通信の動作手順の一例を示すシーケンス図
【図１３】スマートコントロールが未設定時から設定時に移行した場合のセンサーライトと親機との間の通信の動作手順の第１例を示すシーケンス図
【図１４】スマートコントロールが未設定時から設定時に移行した場合のセンサーライトと親機との間の通信の動作手順の第２例を示すシーケンス図
【図１５】スマートコントロールが設定時から未設定時に移行した場合のセンサーライトと親機との間の通信の動作手順の一例を示すシーケンス図
【発明を実施するための形態】
【００１１】
以下、適宜図面を参照しながら、本発明に係る監視システム及び監視方法を具体的に開示した実施形態（以下、本実施形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１２】
以下、本発明に係る監視システムの一例として、監視カメラシステムを例示して説明する。本実施形態のセンサーライトは、例えばユーザの自宅の敷地内（例えば屋内や、庭等の敷地内の屋外も含む）に設置される監視カメラシステムに適用されるものとして説明する。但し、本実施形態のセンサーライトは、ユーザの自宅の敷地内の防犯用途に限定されず、店舗、工場、オフィス等の事業所のうちいずれかにおける防犯用途として使用されてもよいことは言うまでもない。また、本実施形態のセンサーライトは、防犯目的として使用されず、設置場所を行き来する人に対する使い勝手を向上するために使用されるものであっても構わない。
【００１３】
なお、本発明は、監視システムに限定されず、監視システムにおける監視方法として表現することも可能であり、また監視システムの一例としての監視カメラシステムに含まれるセンサーライトの装置カテゴリとして規定することもできる。
【００１４】
図１は、本実施形態のセンサーライト９０が組み込まれた監視カメラシステム５のシステム構成の一例を示す図である。監視カメラシステム５は、例えば宅内８に設置されており、固定電話機の親機１０、２台の子機２０Ａ，２０Ｂ、２台のカメラ３０（例えば屋内カメラ３０Ａ，監視カメラ３０Ｂ）、各種のセンサ４０（例えば人感センサ４０Ａ，４０Ｂ，煙センサ４０Ｃ，開閉センサ４０Ｄ）、スマートプラグ８０、センサーライト９０、スマートフォン５０及び無線ルータ６０から構成される。なお、この監視カメラシステム５の構成は一例であり、種々の態様に変更可能である。
【００１５】
親機１０は、監視カメラシステム５における各種の機器との通信に関するゲートウェイとしての役割を有する。つまり、親機１０は、監視カメラシステム５の全体の動作を制御する制御装置であり、例えばＤＥＣＴ（Digital Enhanced Cordless Telecommunications）の無線通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、子機２０Ａ，２０Ｂと他の固定電話機８００との間で通話を可能とするための仲介処理を行う。また、親機１０は、他の固定電話機８００との間で直接に通話を行ってもよい。また、親機１０は、差込口１０ａに挿入された子機２０Ａを充電する機能を有する。
【００１６】
子機２０Ａ，２０Ｂは、ＤＥＣＴの通信方式で親機１０と接続され、親機１０と通話可能である。特に、２台の子機２０Ａ，２０Ｂを区別する必要が無い場合、子機２０と総称する。
【００１７】
各種のセンサ４０（例えば人感センサ４０Ａ，４０Ｂ，煙センサ４０Ｃ，開閉センサ４０Ｄ）は、ＤＥＣＴの通信方式で親機１０と接続される。ここでは、センサとして、窓の開閉を検出する開閉センサ４０Ｄ、煙を感知する煙センサ４０Ｃ、及び赤外線によって人物を感知する人感センサ４０Ａ、４０Ｂが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００１８】
２台のカメラ（例えば屋内カメラ３０Ａ，監視カメラ３０Ｂ）は、通話機能を有し、ＤＥＣＴの通信方式で親機１０と接続されて、子機２０Ａ，２０Ｂとの間で通話が可能である。ここでは、カメラとして、屋外を撮像する監視カメラ３０Ｂ、及び宅内８を撮像する屋内カメラ３０Ａが用いられる。特に、カメラの種類を区別する必要が無い場合、カメラ３０と総称する。
【００１９】
スマートプラグ８０は、ＤＥＣＴを用いた無線通信機能を有し、ＤＥＣＴの無線通信方式で親機１０と接続される。スマートプラグ８０は、親機１０から送信される指示に従い、スマートプラグ８０自身に接続された各種の電気機器（例えばエアーコンディショナ、照明器具、カメラ３０、センサ４０）に電力を供給する商用交流電源又は直流電源の通電又は遮断を切り替える。スマートプラグ８０の詳細については後述する。
【００２０】
センサーライト９０は、監視エリア（例えば宅内の庭、玄関）に居る人物の動きを検知し、夜間等で周囲が暗いと、点灯して監視エリアの周囲を照明する。なお、センサーライト９０の輝度は、監視エリアを明るく照明できる程度に高くてもよいし、警告灯として使える程度に低くてもよい。センサーライト９０は、ＤＥＣＴを用いた無線通信機能を有し、ＤＥＣＴの無線通信方式を用いて親機１０と接続される。センサーライト９０は、親機１０を介してスマートフォン５０からセンサーライト９０の動作条件（以下、「シナリオ」ともいう）を任意に設定可能である。センサーライト９０の詳細については後述する。
【００２１】
スマートフォン５０は、無線ＬＡＮを用いた無線ルータ６０を介して親機１０と接続され、３Ｇ（第３世代）や４Ｇ（第４世代）等の各種の通信方式を用いた携帯電話網７５を介して、他の携帯電話機７０や不図示の他のスマートフォン等と接続される。
【００２２】
図２は、本実施形態の監視カメラシステム５における親機１０の内部構成の一例を示すブロック図である。親機１０は、制御部１０９と、記憶部１０３と、操作部１０５と、表示部１０６とを含む構成である。親機１０は、各種の入力操作を受け付け、また、表示部１０６に画像等の情報を表示する。制御部１０９は、呼制御部１１０及び音声ストリーム処理部１１２を内蔵し、通話の呼制御や音声データの処理等を行う。なお、表示部１０６は、タッチパネルを用いて構成されてもよい。このタッチパネルに対応する表示部１０６は、ユーザの操作を受け付けて制御部１０９に出力するとともに、制御部１０９から渡された表示データ（例えば後述するスマートコントロール設定画面ＧＭのデータ）を表示する。
【００２３】
また、親機１０は、画像メモリ制御部１１５と、画像メモリ１１６とを有し、カメラ３０で撮像されかつカメラ３０から転送された画像データ等を受信して画像メモリ１１６に記憶する。
【００２４】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２５】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線通信方式を用いて、子機２０、センサ４０、カメラ３０、スマートプラグ８０及びセンサーライト９０との間でそれぞれ無線接続、無線通信を行う。
【００２６】
また、親機１０は、音声バス１１７と、音声入出力制御部１０４と、スピーカ１２９と、マイク１２８とを有し、外部に対して音声の入出力を行う。
【００２７】
また、親機１０は、固定電話回線Ｉ／Ｆ部１０１を有し、固定電話網８５に接続された外部の固定電話機８００と通話可能である。なお、上述したように、親機１０は、固定電話網８５に接続された外部の固定電話機８００と子機２０Ａ，２０Ｂとの間で通話が可能となるように通話時における音声データの各種処理を制御してもよい。
【００２８】
また、親機１０は、子機／携帯端末充電部１２６を有し、差込口１０ａに挿入された子機２０或いはスマートフォン５０を充電する。
【００２９】
また、親機１０は、ＵＳＢ通信Ｉ／Ｆ部１２７を有し、ＵＳＢ（Universal Serial Bus）規格のインタフェースを有する機器やメモリ等とデータを送受信する。
【００３０】
また、親機１０は、各種のセンサ４０（例えば人感センサ４０Ａ，４０Ｂ，煙センサ４０Ｃ，開閉センサ４０Ｄ）と複数のカメラ３０をそれぞれ関連付けて記憶部１０３に書き込んで登録する。例えば人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、赤外線センサ３１３とも関連付けて登録される。また、人感センサ４０Ａと、煙センサ４０Ｃと開閉センサ４０Ｄとは、いずれも宅内８に設置されているので、屋内カメラ３０Ａとそれぞれ関連付けて登録される。
【００３１】
図３は、本実施形態の監視カメラシステム５における子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００３２】
また、子機２０は、ＤＥＣＴプロトコル制御部２４９と、ＤＥＣＴ無線Ｉ／Ｆ部２４８とを有し、ＤＥＣＴの無線通信方式を用いて親機１０、センサ４０及びカメラ３０との間でそれぞれの無線接続、無線通信を行う。
【００３３】
また、子機２０は、音声バス２５５と、音声入出力制御部２４３と、スピーカ２５２と、マイク２５１とを有し、外部（例えば外部の固定電話機８００）に対して音声の入出力を行って通話する。
【００３４】
図４は、本実施形態の監視カメラシステム５におけるカメラ３０の内部構成の一例を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３５】
また、カメラ３０は、ＤＥＣＴプロトコル制御部３１７と、ＤＥＣＴ無線Ｉ／Ｆ部３１８とを有し、ＤＥＣＴの無線通信方式を用いて親機１０との間で無線接続、無線通信を行う。
【００３６】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００３７】
また、カメラ３０は、音声バス３０７と、音声入出力制御部３０４と、スピーカ３２９と、マイク３２８とを有し、外部（例えば子機２０Ａ，２０Ｂ）に対して音声の入出力を行って通話する。
【００３８】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えばＣＣＤ（Charged Coupled Device）、又はＣＭＯＳ（Complementary Metal Oxide Semiconductor）等のイメージセンサ）を有する。
【００３９】
カメラ３０は、人感センサとして、ＰＩＲ（Passive Infra Red）センサである赤外線センサ（集電センサ）３１３を一体に内蔵する。赤外線センサ３１３は、人（人物）が発する熱（赤外線）の変化を検出して人の存在を感知する。カメラ３０は、例えば商用交流電源又は直流電源により構成される電源部３１４を有する。
【００４０】
図５は、本実施形態の監視カメラシステム５におけるセンサ４０の内部構成の一例を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００４１】
また、センサ４０は、ＤＥＣＴプロトコル制御部４４９と、ＤＥＣＴ無線Ｉ／Ｆ部４４８とを有し、ＤＥＣＴの無線通信方式を用いて親機１０と無線接続、無線通信を行い、対象を検出すると、センサ検出情報を親機１０に送る。
【００４２】
センサ部４５３は、センサ４０の種類によって異なる。例えば人感センサ４０Ａ，４０Ｂの場合、センサ部４５３は、赤外線の変化によって人を感知するＰＩＲセンサである。窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。
【００４３】
充電池４５０は、充電可能な電池であり、センサ４０の各部に必要な電力を供給する。
【００４４】
図６は、本実施形態の監視カメラシステム５におけるスマートフォン５０の内部構成の一例を示すブロック図である。スマートフォン５０は、制御部５０６と、記憶部５０４と、表示／操作部（例えばタッチパネル）５０３とを含む構成である。スマートフォン５０は、各種の入力操作を受け付け、表示／操作部５０３に画像等の情報を表示する。制御部５０６は、後述するように、カメラ３０の機能やセンサーライト９０の設定情報やシナリオを設定可能な監視機能制御部５１４を内蔵する。表示／操作部５０３は、表示部及び操作部が一体化された表示入力部であり、画面に画像やアイコン等の情報を表示したり、センサーライト９０の設定情報の生成画面（不図示）やシナリオの設定画面（例えば図１０参照）を表示したりするとともに、使用者による画面へタップ操作（又はタッチ操作）を受け付ける。
【００４５】
また、スマートフォン５０は、３Ｇ／４Ｇプロトコル制御部５０２と、３Ｇ／４Ｇ無線Ｉ／Ｆ部５０１とを有し、３Ｇ（第３世代）や４Ｇ（第４世代）の無線通信方式を用いて、携帯電話網７５に接続された携帯電話機７０や他のスマートフォンと無線接続、無線通信を行う。
【００４６】
また、スマートフォン５０は、音声バス５１５と、音声入出力制御部５０５と、スピーカ５１３と、マイク５１２とを有し、外部に対して音声の入出力を行う。
【００４７】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。また、スマートフォン５０は、スマートフォン５０を操作するユーザの入力操作があると、その操作による信号を、無線ルータ６０及び親機１０に送信し、親機１０を介して、センサーライト９０、スマートプラグ８０等の各種の設定情報を新規に作成したり、その設定情報を任意に変更したりすることが可能である。
【００４８】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４９】
図７は、本実施形態の監視カメラシステム５におけるスマートプラグ８０の内部構成の一例を示すブロック図である。スマートプラグ８０は、制御部８４７、記憶部８４２、及び表示ランプを備えた表示部８４５を有する。記憶部８４２には、スマートプラグ８０が親機１０との間でＤＥＣＴを用いた無線通信を行うことで設定又は変更が可能なＯＮ／ＯＦＦ条件に関するスケジュール設定情報が登録される。
【００５０】
また、スマートプラグ８０は、ＤＥＣＴプロトコル制御部８４９、及びＤＥＣＴ無線Ｉ／Ｆ部８４８を有し、ＤＥＣＴの無線通信方式を用いて親機１０と無線通信による接続を行い、この無線通信による接続を介して送信される信号（つまり、親機１０からの切替制御信号）に従って、個々のスマートプラグ８０に接続される各電気機器（例えばエアーコンディショナ、照明器具、カメラ３０、センサ４０）へ商用交流電源又は直流電源の供給又は遮断を切り替える。
【００５１】
また、スマートプラグ８０は、スイッチ部８５０を有する。スイッチ部８５０は、例えば宅内８の配電盤（不図示）から接続された宅内８の各種の位置（例えばダイニングルーム、リビングルーム、ベッドルーム等の位置）に表出されたコンセント端子（不図示）に接続されるプラグ端子８５１と電気機器に接続されるコンセント端子８５２との間で、電源としての電力の供給線の接続又は遮断を行う。スイッチ部８５０は、例えばソレノイドコイル８５３によって駆動され、ソレノイドコイル８５３に交流電源からの駆動電流を流すことによってスイッチ部８５０を閉結し、プラグ端子８５１とコンセント端子８５２との間を導通させる。また、スイッチ部８５４は、制御部８４７の制御によってソレノイドコイル８５３に流す駆動電流をＯＮ／ＯＦＦさせる。
【００５２】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ送る。制御部８４７は、例えば操作部８４１からの入力操作があると、電流検出素子８５５からの検知信号を受けた場合に電気機器への電力を供給している量（電力供給量）を表示部８４５に表示する。
【００５３】
制御部８４７は、例えばユーザの操作に基づくスマートフォン５０からの指示により親機１０からスマートプラグ８０の動作モードの指示信号がＤＥＣＴ無線Ｉ／Ｆ部８４８において受信された場合には、プラグ端子８５１とコンセント端子８５２との間を導通させるための切替制御信号をスイッチ部８５４に出力する。これにより、プラグ端子８５１とコンセント端子８５２との間が導通する。一方、制御部８４７は、例えばユーザの操作に基づくスマートフォン５０からの指示により親機１０からスマートプラグ８０の動作停止モードの指示信号がＤＥＣＴ無線Ｉ／Ｆ部８４８において受信された場合には、プラグ端子８５１とコンセント端子８５２との間を非導通させるための切替制御信号をスイッチ部８５４に出力する。これにより、プラグ端子８５１とコンセント端子８５２との間が非導通となる。
【００５４】
また、制御部８４７は、記憶部８４２に記憶されているスケジュール設定情報を参照し、スケジュール設定情報に含まれる動作モードの時間になると、プラグ端子８５１とコンセント端子８５２との間を導通させるための切替制御信号をスイッチ部８５４に出力する。これにより、プラグ端子８５１とコンセント端子８５２との間が導通する。なお、動作モードの時間中では、例えばユーザの操作に基づくスマートフォン５０からの指示により親機１０から送信された動作停止モードの指示信号がＤＥＣＴ無線Ｉ／Ｆ部８４８において受信されない限り、プラグ端子８５１とコンセント端子８５２との間の導通状態は維持される。
【００５５】
一方、制御部８４７は、記憶部８４２に記憶されているスケジュール設定情報を参照し、スケジュール設定情報に含まれる動作停止モードの時間になると、プラグ端子８５１とコンセント端子８５２との間を非導通させるための切替制御信号をスイッチ部８５４に出力する。これにより、プラグ端子８５１とコンセント端子８５２との間が非導通となる。なお、動作停止モードの時間中では、例えばユーザの操作に基づくスマートフォン５０からの指示により親機１０から送信された動作モードの指示信号がＤＥＣＴ無線Ｉ／Ｆ部８４８において受信されない限り、プラグ端子８５１とコンセント端子８５２との間の非導通状態は維持される。
【００５６】
図８は、本実施形態の監視カメラシステム５におけるセンサーライト９０の内部構成の一例を示すブロック図である。センサーライト９０は、プロセッサ９０１と、ＤＥＣＴ無線Ｉ／Ｆ部９０２と、ＤＥＣＴプロトコル処理部９０３と、メモリ９０４と、照度センサ９０５と、動作センサ９０６と、ライト９０７と、電池９０８とを含む構成を有する。
【００５７】
プロセッサ９０１は、ＤＥＣＴ無線Ｉ／Ｆ部９０２及びＤＥＣＴプロトコル処理部９０３を用いて、ＤＥＣＴの無線通信方式を用いて親機１０と無線接続、無線通信を行う。センサーライト９０は、親機１０との間で無線通信を行うことで、各種のセンサ４０、スマートフォン５０、スマートプラグ８０等の機器と接続可能である。
【００５８】
また、プロセッサ９０１は、点灯時間計測タイマ９０１ｚ及び消灯遅延時間計測タイマ９０１ｙを内蔵する。点灯時間計測タイマ９０１ｚは、ライト９０７の点灯時間を計測する。消灯遅延時間計測タイマ９０１ｙは、消灯遅延時間を計測する。消灯遅延時間は、動作センサ９０６によって移動体（例えば人物）の動きが検知されなくなってからライト９０７を消灯させるまでの移動体の非検知状態の継続時間を示す。プロセッサ９０１は、消灯遅延時間計測タイマ９０１ｙによって計測される消灯遅延時間の計測値と、メモリ９０４に記憶された消灯遅延時間の設定値とを比較し、この比較結果に応じて、ライト９０７の点灯／消灯を制御する。
【００５９】
プロセッサ９０１は、ライト９０７が消灯中に人感を検知した場合には、ライト９０７の点灯時間の計測を開始するとともに、ライト９０７の点灯を開始する。
【００６０】
プロセッサ９０１は、ライト９０７の点灯中に、消灯遅延時間の計測値が消灯遅延時間の設定値を超え、かつ、ライト９０７の点灯時間の計測値がライト９０７の点灯時間の設定値を超えたと判定した場合に、ライト９０７を消灯する。例えばライト９０７の点灯時間の設定値が３０秒、消灯遅延時間の設定値が５秒、ライト９０７の点灯時間の計測値が２５秒の時点で人感が検知されなくなった場合を考える。この場合、人感が検知されなくなってから５秒間人感の非検知状態が継続すれば、消灯遅延時間の計測値が消灯遅延時間の設定値（５秒）に達し、かつライト９０７の点灯時間の計測値がライト９０７の点灯時間の設定値（３０秒）に達するので、ライト９０７は消灯する。この例では、ライト９０７は計３０秒点灯していたことになる。
【００６１】
また、プロセッサ９０１は、センサーライト９０が電池駆動であるため、親機１０との間ではＤＥＣＴの無線通信方式を用いて通信可能ではあるが、親機１０との間で無線通信を行う必要がある時（例えば後述する人感検知時や親機１０との間の定期通信時）を除けば、通信をスリープモード（つまり、親機１０との間の通信を一時的に中断している状態を示すモード）に設定している。これにより、センサーライト９０は、親機１０との間で常時通信モードに設定する必要が無いので、消費電力の増大を抑制することが可能である。
【００６２】
ライト９０７は、例えば光源である白色ＬＥＤと、この白色ＬＥＤから投射される光を前方に反射するリフレクタとで構成される。なお、光源としては、白色ＬＥＤに限らず、白色以外のカラーＬＥＤ、白熱灯、蛍光灯、ハロゲンランプ、キセノンランプ等であってもよい。本実施形態では、例えば消費電力が少なく、かつ、自然光に近い白色ＬＥＤを用いる。
【００６３】
メモリ９０４は、プロセッサ９０１が実行する制御プログラムや各種データを記憶する。各種データには、後述する設定情報テーブル１６０、消灯遅延時間テーブル１７０等が含まれる。
【００６４】
センサの一例としての照度センサ９０５は、周囲の明るさを感知するものであり、人間の眼が感じる光の波長に近い波長の領域の光を感知する、つまり人間の眼に近い分光感度特性を有するフォトダイオードである。なお、照度センサには、イメージセンサを用いてもよく、この場合、イメージセンサの各画素の輝度値から照度を得るとともに、全画素の輝度値から画像を取得することも可能である。
【００６５】
センサの一例としての動作センサ９０６は、ＬＥＤ及びフォトダイオードを有し、監視エリアに向けてＬＥＤから近赤外光を照射し、フォトダイオードでその反射光を受光し、反射光の変化に基づき、人物の動きを検知する。なお、ここでは、移動体の一例として、人物の動きを検知していたが、人物に限らず、犬、猫等の動物や、小型若しくは大型の車両やロボット等の構造物の動きを検知してもよい。また、ここでは、近赤外光を照射したが、可視光、紫外光等を照射し、その反射光の変化から、移動体の動きを検知してもよい。また、光を照射する代わりに、超音波を照射し、その反射波から移動体の動きを検知してもよい。また、動作センサは、移動体の動きを検知していたが、動きが極端に小さいと予想される移動体の場合には、移動体が動かなくてもその存在を検知できるものであってもよく、例えば、動作センサとして、人体が発する赤外光を感知する、人感センサとして、ＰＩＲ（Passive Infra Red）センサである赤外線センサ（焦電センサ）を用いてもよい。集電センサを用いた場合、ＬＥＤのように発光しないので、省電力化が図られる。
【００６６】
電池９０８は、センサーライト９０の電源として用いられる、例えば４本の単１乾電池である。なお、電池としては、マンガン乾電池、アルカリ乾電池等の一次電池だけでなく、ニッケル水素バッテリ、リチウムイオン電池、鉛バッテリ等の充電可能な二次電池を用いてもよい。また、本実施形態では、センサーライト９０の電源として、電池を用いたが、電池の代わりに、商用交流電源に接続され、商用交流を変換して所定の電圧を出力する電源装置を内蔵してもよい。
【００６７】
図９は、本実施形態のセンサーライト９０の外観の一例を示す斜視図である。センサーライト９０は、ライト本体９１と、連結部９２と、台座９３とを有する。ライト本体９１は、図８に示す各部の電子部品が実装された基板を内蔵する。ライト本体９１の前面には、監視エリアに向けて照射可能なライト９０７が配置される。また、ライト本体９１の前面には、照度センサ９０５及び動作センサ９０６が配置されている。
【００６８】
台座９３は、連結部９２を介してライト本体９１を支持する矩形板である。矩形板は、４つの角部が丸い形状（Ｒ形状）を有する。台座９３の四隅には、ねじが挿通される孔９３ｚがそれぞれ穿設されている。
【００６９】
連結部９２は、ライト本体９１と台座９３とを連結し、台座９３に対してライト本体９１の向きを手動で段階的に調整可能なヒンジ機構を有する。台座９３を任意の角度を有する面（例えば、水平な面、垂直な面、傾斜した面）を持つ部材に取り付けても、ヒンジ機構を調節することで、ライト本体９１の前面を監視エリアの所望の方向に向けることができる。本実施形態では、センサーライト９０は、家の外壁１５０に取り付けられる。この取り付けでは、台座９３に設けられた４ヶ所の孔９３ｚにねじ９４を通して締め付けることで、センサーライト９０の台座９３は外壁１５０に固定される。取り付け後、ライト９０７が監視エリア（例えば、玄関前、庭、ガレージ等）を照明できるように、連結部９２を手動で動かし、ライト本体９１の向きを調節する。なお、センサーライトの取付場所は、宅外である家の外壁に限らず、ベランダ、門、支柱等であってもよいし、宅内の物置等であってもよい。
【００７０】
上記構成を有する監視カメラシステム５の動作について説明する。
【００７１】
始めに、監視カメラシステム５を構成する各機器の動作条件（つまり、シナリオ）が設定されたスマートコントロール設定テーブル１８０について説明する。スマートコントロール設定テーブル１８０は、例えば親機１０の記憶部１０３に記憶されている。スマートコントロール設定テーブル１８０の初期値の登録は、例えば製造時やメンテナンス時に行われる。また、スマートコントロール設定テーブル１８０の登録内容は、ユーザがスマートフォン５０を操作してシナリオを親機１０に登録することで、任意の時に追加・更新・削除可能である。つまり、ユーザがスマートフォン５０等の外部機器を操作してシナリオを作成すると、外部機器はシナリオのデータを親機１０に送信する。親機１０は、外部機器から送信されたシナリオのデータを受信して記憶部１０３に書き込んで登録する。また、ユーザが親機１０の表示部１０６（例えばタッチパネル）を操作してシナリオを作成すると、親機１０は、表示部１０６に入力されたシナリオのデータを記憶部１０３に書き込んで登録する。これにより、ユーザは、上述した製造時やメンテナンス時に限定されず、任意の時にスマートコントロール設定テーブル１８０の内容を追加・更新・削除が可能である。
【００７２】
図１０は、スマートコントロール設定テーブル１８０の登録内容の一例を示す図である。スマートコントロール設定テーブル１８０には、シナリオ番号毎に、「起動トリガ」、「動作デバイス」、「動作内容」、「動作開始条件」及び「動作内容（詳細）」の項目が登録されている。ここで、シナリオは、起動トリガの処理があった時に動作開始条件が満たされていると、動作デバイスが動作内容（具体的には、「動作内容（詳細）」により示される処理）を実行する、一連の処理（スマートコントロール）の設定内容を表す。
【００７３】
シナリオ番号１には、窓に取り付けられている開閉センサ４０Ｄが開いた時、動作開始条件（警戒モード：外出警戒又は在宅警戒、動作時間帯：終日、繰り返し：毎日）を満たしている場合、カメラ３０（例えば屋内カメラ３０Ａ）が撮像した映像を３分間録画するというシナリオが登録されている。つまり、このシナリオでは、外出時の警戒中や在宅時の警戒中に窓が開いたら、例えば泥棒が侵入したとして、窓を撮像範囲として含むように配置されたカメラ３０（例えば屋内カメラ３０Ａ）で撮像を開始し、さらに撮像した映像を３分間録画も行うという、処理内容が示されている。これにより、警戒モード中に窓が開いたときの証拠映像を残すことが可能となる。
【００７４】
シナリオ番号２には、センサーライト９０の動作センサ９０６が人の動き（つまり、人感）を検知した時に、動作条件（警戒モード：全モード、動作時間帯：２２：００〜翌６：００、繰り返し：月〜金）を満たしている場合、スマートプラグ８０がスイッチ部８５０を閉結してコンセント端子８５２に接続される電気機器の電源を１０分間ＯＮにするというシナリオが登録されている。つまり、このシナリオでは、センサーライト９０が夜間に人の動きを検知すると、電気機器（例えばスタンドライト）が接続されたスマートプラグ８０を１０分間ＯＮにするという、処理内容が示されている。これにより、夜間でも人がいるように見せかけることができる。
【００７５】
シナリオ番号３には、屋外に設置された監視カメラ３０Ｂの赤外線センサ３１３が人感を検知した時に、動作条件（警戒モード：全モード、動作時間帯：２２：００〜翌６：００、繰り返し：毎日）を満たしている場合、センサーライト９０が、１０秒間にわたって、３００ルーメンの輝度でライトＯＮの点滅動作を行う。つまり、このシナリオでは、監視カメラ３０Ｂが夜間に人の動き（人感）を検知すると、センサーライト９０が１０秒間、３００ルーメンの輝度で点滅する、という処理内容が示されている。これにより、夜間に屋外の監視カメラ３０Ｂの人感の検知範囲にいる人等を威嚇することができる。なお、これらのシナリオは、一例であり、任意のシナリオが登録されてもよいことは言うまでもない。
【００７６】
図１１は、スマートフォン５０に表示されるスマートコントロール設定画面ＧＭの一例を示す図である。このスマートコントロール設定画面ＧＭには、センサーライト９０を点灯するためのシナリオの設定項目が表示されている。
【００７７】
起動トリガ（Triggered by）の項目ｍ１には、例えば玄関前に設置された監視カメラ（Entrance: Camera 1. Motion）が人感を検知した時が設定されている。
【００７８】
動作内容（Light On with）の項目ｍ２には、例えば玄関前に設置されたセンサーライト（Entrance Motion Light 1）を点灯させる動作が設定されている。
【００７９】
動作内容（詳細）の１つとして、ＬＥＤの点灯の仕方（LED Light）の項目ｍ３には、例えば点灯時間（Lighting Duration）の入力項目ｍ３１、明るさ（Brightness）の入力項目ｍ３２、及びパターン（Lighting Pattern）の項目ｍ３３が設定可能である。ここでは、点灯時間が１０秒、明るさが３００ルーメン、パターンが点滅（Flashing）に設定されている。
【００８０】
また、動作開始条件の１つとして、繰り返し（Repeat）の項目ｍ４が設定可能である。ここでは、曜日（Days）の入力項目ｍ４１には、毎日（Everyday）が設定されている。
【００８１】
また、動作開始条件の１つとして、シナリオが動作するＡＲＭモード（Arm Mode）の項目ｍ５が設定可能である。ＡＲＭモードは、在宅警戒モード（At Home Mode）の項目ｍ５１、外出警戒モード（Away Mode）の項目ｍ５２、及び警戒解除モード（Disarm Mode）の項目ｍ５３のそれぞれにチェックマークが付されることで設定される。全ての項目ｍ５１，ｍ５１，ｍ５３にチェックマークが付された場合、全モードが設定される。ここでは、全モードが設定されている。
【００８２】
なお、ＡＲＭモードは、監視カメラシステム５における親機１０の動作状態を示すものであり、３つのモードからユーザにより１つのモードが選択されて設定される。
【００８３】
在宅警戒モード（At Home Mode）中では、居住者であるユーザが在宅中でも、例えば窓が開いた場合には、親機１０は警報音を出力するとともに、そのユーザが所持するスマートフォン５０に異常が発生した旨を通知する。
【００８４】
外出警戒モード（Away Mode）中では、居住者であるユーザが外出中に、例えば窓が開いた場合には、親機１０は警報音を出力するとともに、そのユーザが所持するスマートフォン５０に異常が発生した旨を通知する。
【００８５】
警戒解除モード（Disarm Mode）中では、居住者であるユーザが在宅中でも外出中でも、例えば窓が開いた場合に、親機１０は警報音を出力せず、そのユーザが所持するスマートフォン５０にも異常が発生した旨を通知しない。
【００８６】
また、スマートコントロール設定画面ＧＭには、ＯＫボタンｍ６及びＣａｎｃｅｌボタンｍ７が設けられている。スマートコントロール設定画面ＧＭにおける設定項目で、親機１０の記憶部１０３に記憶されているスマートコントロール設定テーブル１８０を更新又は新規に追加する場合、ユーザはＯＫボタンｍ６を押下する。一方、更新しない場合又は新規に追加しない場合には、ユーザはＣａｎｃｅｌボタンｍ７を押下する。
【００８７】
次に、スマートコントロールが未設定時、スマートコントロールが未設定時から設定時に変更された時、スマートコントロールが設定時から未設定時に変更された時の、それぞれのセンサーライト９０及び親機１０の通信に関するシーケンスについて、図１２〜図１５を参照してそれぞれ説明する。なお、スマートコントロールの設定は、上述したように、例えば図１１に示すスマートコントロール設定画面ＧＭを用いてシナリオが新規作成されたことでなされる。以下の説明では、必要に応じて、スマートコントロール設定テーブル１８０に登録されたシナリオ番号３のシナリオに従って、監視カメラシステム５が動作する場合を示す。
【００８８】
（通常動作：スマートコントロールが未設定時の動作）
図１２は、スマートコントロールが未設定時におけるセンサーライト９０と親機１０との間の通信の動作手順の一例を示すシーケンス図である。図１２では、センサーライト９０が人感を検知した時（人感検知時）や定期通信を行う時にセンサーライト９０のスリープモードを解除する動作手順が示されている。図１２の説明の前提として、親機１０自身はセンサーライト９０を含む他の機器（図１参照）との間で通信が可能なモードに設定されている。
【００８９】
なお、上述したように、センサーライト９０は、電池駆動であるため、消費電力の増大を抑制するために、親機１０との間ではＤＥＣＴの無線通信方式を用いて通信可能ではあるが、親機１０との間で無線通信を行う必要がある時（例えば図１２に示す人感検知時や親機１０との間の定期通信時）を除けば、通信をスリープモード（つまり、通信を行っていないモード）に設定している。
【００９０】
図１２において、センサーライト９０のＤＥＣＴ無線Ｉ／Ｆ部９０２は、初期状態では、スリープ状態にある（Ｔ０）。従って、親機１０からセンサーライト９０への通信は不可である。この状態で、センサーライト９０内の動作センサ９０６が人の動き（人感）を検知した場合（Ｔ１）、この人感検知を含む動作検知をプロセッサ９０１に通知する（Ｔ２）。なお、動作検知には、人感検知の他、人以外の動物や車等の構造物の検知も含まれる。プロセッサ９０１は、照度センサ９０５で検知される照度を取得し（Ｔ３）、この照度から周囲が暗いか否かを判断する。
【００９１】
プロセッサ９０１は、周囲が暗いと判断した場合、ライト９０７に対し、点灯を指示する（Ｔ４）。なお、周囲が暗いか否かの判断は公知技術であり、詳細な説明は割愛するが、例えば手順Ｔ３で得られた照度が所定の閾値より小さい値であれば暗いと判断することが可能であり、以下同様である。ライト９０７は、点灯の指示を受けると、点灯する（Ｔ５）。
【００９２】
また、プロセッサ９０１は、ライト９０７への点灯指示と略同時に、ＤＥＣＴ無線Ｉ／Ｆ部９０２のスリープを解除する（Ｔ６）。これにより、センサーライト９０は、親機１０との間で通信が可能となる。また、プロセッサ９０１は、起動したＤＥＣＴ無線Ｉ／Ｆ部９０２を介して、手順Ｔ１における動作検知を親機１０の制御部１０９に通知する（Ｔ７）。
【００９３】
親機１０の制御部１０９は、センサーライト９０から動作検知を受けると、この応答（動作検知応答）を返す（Ｔ８）。プロセッサ９０１は、親機１０から動作検知応答を受けると、ＤＥＣＴ無線Ｉ／Ｆ部９０２をスリープ状態に設定する（Ｔ９）。ＤＥＣＴ無線Ｉ／Ｆ部９０２は、スリープ状態に入る（Ｔ１０）。これにより、センサーライト９０は、親機１０との間で通信を不可状態にすることで、常時通信を行う必要がなく、消費電力の増大を抑制することができる。
【００９４】
センサーライト９０は、手順Ｔ５で点灯を開始した後、人の動きを検知し続けている間は、消灯せずに点灯を続ける。センサーライト９０内の動作センサ９０６は、人の動き（人感）が検知されなくなった場合（Ｔ１１）、この動作検知終了通知をプロセッサ９０１に出力する（Ｔ１２）。図１２では、動作センサ９０６が手順Ｔ１〜Ｔ１１の期間、人感を検知していたことが示されている。
【００９５】
プロセッサ９０１は、動作検知終了通知を受けると、ＤＥＣＴ無線Ｉ／Ｆ部９０２のスリープを解除する（Ｔ１３）。これにより、センサーライト９０は、親機１０との間で通信が可能となる。また、プロセッサ９０１は、起動したＤＥＣＴ無線Ｉ／Ｆ部９０２を介して、手順Ｔ１１における動作検知終了を親機１０の制御部１０９に通知する（Ｔ１４）。
【００９６】
親機１０の制御部１０９は、センサーライト９０から動作検知終了を受けると、この応答（動作検知終了応答）を返す（Ｔ１５）。プロセッサ９０１は、親機１０から動作検知終了応答を受けると、ＤＥＣＴ無線Ｉ／Ｆ部９０２をスリープ状態に設定する（Ｔ１６）。ＤＥＣＴ無線Ｉ／Ｆ部９０２は、スリープ状態に入る（Ｔ１７）。これにより、センサーライト９０は、親機１０との間で通信を不可状態にすることで、常時通信を行う必要がなく、消費電力の増大を抑制することができる。
【００９７】
プロセッサ９０１は、手順Ｔ１２で動作検知終了通知を受けると、ライト９０７の点灯時間の計測値が予め設定されたライト９０７の点灯時間の設定値が経過し、かつ、消灯遅延時間の計測値が消灯遅延時間の設定値が経過した後、ライト９０７を消灯する（Ｔ１８）。図１２では、ライト９０７が手順Ｔ５〜Ｔ１８の期間、点灯していたことが示されている。
【００９８】
また、センサーライト９０のプロセッサ９０１は、親機１０と定期通信を行っている。例えば、定期通信は９０分に１度行われる。プロセッサ９０１は、定期通信の時刻に達すると、ＤＥＣＴ無線Ｉ／Ｆ部９０２のスリープを解除する（Ｔ１９）。これにより、センサーライト９０は、親機１０との間で通信が可能となる。また、プロセッサ９０１は、起動したＤＥＣＴ無線Ｉ／Ｆ部９０２を介して、親機１０の制御部１０９と定期通信を行う（Ｔ２０）。この定期通信では、センサーライト９０は、動作状況等の情報を親機１０に通知して報告することが可能である。
【００９９】
親機１０の制御部１０９は、定期通信応答をセンサーライト９０に返す（Ｔ２１）。プロセッサ９０１は、親機１０から定期通信応答を受けると、ＤＥＣＴ無線Ｉ／Ｆ部９０２をスリープ状態に設定する（Ｔ２２）。ＤＥＣＴ無線Ｉ／Ｆ部９０２は、スリープ状態に入る（Ｔ２３）。これにより、センサーライト９０は、親機１０との間で通信を不可状態にすることで、常時通信を行う必要がなく、消費電力の増大を抑制することができる。
【０１００】
このように、図１２に示す通常動作では、センサーライト９０は、親機１０に対し、動作検知の通信及び定期通信を行う期間以外、ＤＥＣＴ無線Ｉ／Ｆ部９０２をスリープ状態して通信を停止させる。これにより、電池の電力消費が抑えられ、省電力化が図られる。従って、電池の頻繁な交換が無くなる。
【０１０１】
（スマートコントロールの未設定時から設定時へ：人感検知時に常時通信オン）
図１３は、スマートコントロールが未設定時から設定時に移行した場合のセンサーライトと親機との間の通信の動作手順の第１例を示すシーケンス図である。図１３では、センサーライト９０が人感を検知した時（人感検知時）にスリープモードを解除して常時通信に切り替える動作手順が示されている。図１３の説明の前提として、親機１０自身はセンサーライト９０を含む他の機器（図１参照）との間で通信が可能なモードに設定されている。
【０１０２】
図１３において、センサーライト９０のＤＥＣＴ無線Ｉ／Ｆ部９０２は、初期状態では、スリープ状態にある（Ｔ３０）。スマートフォン５０は、ユーザの操作に応じてスマートコントロール設定画面ＧＭを表示し、ユーザによってスマートコントロール設定画面ＧＭで設定された、センサーライトの点灯に関するシナリオの追加操作を受け付ける（Ｔ３１）。スマートフォン５０は、センサーライトの点灯に関するシナリオのデータを親機１０に送信する。
【０１０３】
親機１０の制御部１０９は、スマートコントロール設定画面ＧＭで設定されたシナリオを受信すると、記憶部１０３に記憶されているスマートコントロール設定テーブル１８０に追加して更新する（Ｔ３２）。センサーライトを点灯するためのシナリオとして、スマートコントロール設定テーブル１８０（図１０参照）には、例えば屋外設置の監視カメラ３０Ｂが人感検知を行うと、その動作検知通知を親機１０に送り、親機１０がセンサーライト９０に対して点灯を指示するというシナリオが設定される。
【０１０４】
シナリオが追加されると、親機１０の制御部１０９は、常時通信フラグをオン（ＯＮ）にする（Ｔ３３）。この後、制御部１０９は、ユーザが所持するスマートフォン５０の表示／操作部５０３の画面上に、例えば「センサーライトの前で手を振ってください」等の人感検知を促す指示（メッセージ）を表示してもよい。これにより、親機１０は、手順Ｔ３２で追加されたシナリオで規定されたセンサーライト９０の動作確認をユーザに試させることができ、使い勝手が向上する。
【０１０５】
センサーライト９０のＤＥＣＴ無線Ｉ／Ｆ部９０２がスリープ状態で、ユーザがスマートフォン５０の表示／操作部５０３上に表示された指示（メッセージ）に従ってセンサーライト９０の前で手を振った又は別の第三者がセンサーライト９０の検知範囲に入った場合、動作センサ９０６は、ユーザの手の動き又は人感を検知し（Ｔ３４）、この動作検知をプロセッサ９０１に通知する（Ｔ３５）。プロセッサ９０１は、照度センサ９０５で検知される照度を取得し（Ｔ３６）、この照度から周囲が暗いか否かを判断する。
【０１０６】
プロセッサ９０１は、周囲が暗いと判断した場合、ライト９０７に対し、点灯を指示する（Ｔ３７）。ライト９０７は、点灯の指示を受けると、点灯する（Ｔ３８）。また、プロセッサ９０１は、ライト９０７への点灯指示と略同時に、ＤＥＣＴ無線Ｉ／Ｆ部９０２のスリープを解除する（Ｔ３９）。これにより、センサーライト９０は、親機１０との間で通信が可能となる。さらに、プロセッサ９０１は、起動したＤＥＣＴ無線Ｉ／Ｆ部９０２を介して、手順Ｔ３４における動作検知を親機１０の制御部１０９に通知する（Ｔ４０）。
【０１０７】
親機１０の制御部１０９は、センサーライト９０から動作検知を受けると、この応答を返すとともに、常時通信ＯＮを通知する（Ｔ４１）。
【０１０８】
センサーライト９０のプロセッサ９０１は、常時通信ＯＮの通知を受けると、以後、常時通信ＯＦＦの通知を受ける或いは電源がオフに操作されるまで、親機１０との間で常時通信を行う。動作センサ９０６は、ユーザによる手を振る動作が検知されなくなった場合又は別の第三者が検知されなくなった場合（Ｔ４２）、プロセッサ９０１に動作検知終了通知を行う（Ｔ４３）。プロセッサ９０１は、親機１０の制御部１０９に動作検知終了通知を送信する（Ｔ４４）。
【０１０９】
親機１０の制御部１０９は、動作検知終了応答をプロセッサ９０１に返す（Ｔ４５）。プロセッサ９０１は、手順Ｔ４５で動作検知終了応答を受けると、ライト９０７の点灯時間の計測値が予め設定されたライト９０７の点灯時間の設定値が経過し、かつ、消灯遅延時間の計測値が消灯遅延時間の設定値が経過した後、ライト９０７を消灯する（Ｔ４６）。
【０１１０】
手順Ｔ４６の後、センサーライト９０と親機１０との間の互いの常時通信可能状態は継続しており、親機１０の制御部１０９は、スマートコントロール設定テーブル１８０に登録されているセンサーライト９０の点灯に関するシナリオが満たされた場合、センサーライト９０に対し、点灯要求を行う（Ｔ４７）。
【０１１１】
センサーライト９０のプロセッサ９０１は、親機１０の制御部１０９から点灯要求を受け付けると、ライト９０７に点灯を指示する（Ｔ４８）。ライト９０７は、点灯の指示を受け付けると、プロセッサ９０１から消灯の指示があるまで点灯する（Ｔ４９）。
【０１１２】
親機１０の制御部１０９は、スマートコントロール設定テーブル１８０に登録されているセンサーライト９０の消灯に関するシナリオ（不図示）が満たされた場合、センサーライト９０に対し、消灯要求を行う（Ｔ５０）。
【０１１３】
センサーライト９０のプロセッサ９０１は、親機１０の制御部１０９から消灯要求を受け付けると、ライト９０７に消灯を指示する（Ｔ５１）。ライト９０７は、消灯の指示を受け付けると、消灯する（Ｔ５２）。
【０１１４】
このように、センサーライト９０が人の動作を検知するとその検知に同期するように、親機１０は、センサーライト９０に対し、常時通信の設定指示を行う。センサーライト９０は、親機１０からの設定指示に従って、通信のスリープモードを解除して常時通信を可能に設定する。従って、センサーライト９０側に通信開始のトリガがある場合でも、親機１０がセンサーライト９０との間で通信する機会が確保され、センサーライト９０は、親機１０との間で通信を行う必要がある場合に常時通信オンに切り替えることができ、使い勝手が向上する。また、スマートフォン５０の画面に「手を振ってください」等のメッセージを表示してセンサーライト９０による人感検知を促し、センサーライト９０から親機１０に対し動作検知の通信を行わせる。これにより、親機１０からの常時通信オンの設定をセンサーライト９０に速やかに反映できる。
【０１１５】
（スマートコントロールの未設定時から設定時へ：定期通信で常時通信オン）
図１４は、スマートコントロールが未設定時から設定時に移行した場合のセンサーライトと親機との間の通信の動作手順の第２例を示すシーケンス図である。図１４では、センサーライト９０が定期通信を行う時にスリープモードを解除して常時通信に切り替える動作手順が示されている。図１４の説明の前提として、親機１０自身はセンサーライト９０を含む他の機器（図１参照）との間で通信が可能なモードに設定されている。
【０１１６】
図１４において、センサーライト９０のＤＥＣＴ無線Ｉ／Ｆ部９０２は、初期状態では、スリープ状態にある（Ｔ６０）。手順Ｔ６１〜Ｔ６３において、親機１０の制御部１０９が常時通信フラグをオンにする動作は、図１３に示した手順Ｔ３１〜Ｔ３３と同様の動作であるので、その説明を省略する。
【０１１７】
センサーライト９０のプロセッサ９０１は、親機１０との間で定期通信を行っている。例えば、定期通信は９０分に１度行われる。プロセッサ９０１は、定期通信の時刻に達すると、ＤＥＣＴ無線Ｉ／Ｆ部９０２のスリープを解除する（Ｔ６４）。これにより、センサーライト９０は、親機１０との間で通信が可能となる。また、プロセッサ９０１は、起動したＤＥＣＴ無線Ｉ／Ｆ部９０２を介して、親機１０の制御部１０９と定期通信を行う（Ｔ６５）。この定期通信では、センサーライト９０は、動作状況等の情報を親機１０に通知して報告することが可能である。
【０１１８】
親機１０の制御部１０９は、定期通信応答をセンサーライト９０に返すとともに、常時通信をオンにする指示を行う（Ｔ６６）。
【０１１９】
手順Ｔ６６以降、センサーライト９０と親機１０との間で、ＤＥＣＴ無線Ｉ／Ｆ部９０２を介して、常時通信が行われる。
【０１２０】
図１３に示した手順Ｔ４７〜Ｔ５２と同様、親機１０の制御部１０９は、スマートコントロール設定テーブル１８０に登録されているセンサーライト９０の点灯に関するシナリオが満たされた場合、センサーライト９０に対し、点灯要求を行う（Ｔ６７）。
【０１２１】
センサーライト９０のプロセッサ９０１は、親機１０の制御部１０９から点灯要求を受け付けると、ライト９０７に点灯を指示する（Ｔ６８）。ライト９０７は、点灯の指示を受け付けると、プロセッサ９０１から消灯の指示があるまで点灯する（Ｔ６９）。
【０１２２】
親機１０の制御部１０９は、スマートコントロール設定テーブル１８０に登録されているセンサーライト９０の消灯に関するシナリオ（不図示）が満たされた場合、センサーライト９０に対し、消灯要求を行う（Ｔ７０）。
【０１２３】
センサーライト９０のプロセッサ９０１は、親機１０の制御部１０９から消灯要求を受け付けると、ライト９０７に消灯を指示する（Ｔ７１）。ライト９０７は、消灯の指示を受け付けると、消灯する（Ｔ７２）。
【０１２４】
このように、センサーライト９０から親機１０への定期通信を利用することで、親機１０は、センサーライト９０に対し、常時通信の設定指示を行う。センサーライト９０は、親機からの設定指示に従って、通信のスリープモードを解除して常時通信を可能に設定する。従って、センサーライト９０側に通信開始のトリガがある場合でも、親機１０がセンサーライト９０との間で通信する機会が確保され、センサーライト９０は、親機１０との間で通信を行う必要がある場合に常時通信オンに切り替えることができ、使い勝手が向上する。また、定期通信を利用することで、ユーザは、センサーライト９０に対して人感検知を行わせる、手を振るような動作を行わないで済む。
【０１２５】
図１５は、スマートコントロールが設定時から未設定時に移行した場合のセンサーライトと親機との間の通信の動作手順の一例を示すシーケンス図である。図１５では、ユーザが所持するスマートフォン５０の操作によって、センサーライト９０の常時通信をオフに切り替えてスリープモードに移行する動作手順が示されている。図１５の説明の前提として、親機１０自身はセンサーライト９０を含む他の機器（図１参照）との間で通信が可能なモードに設定されており、センサーライト９０のＤＥＣＴ無線Ｉ／Ｆ部９０２は起動しており、センサーライト９０と親機１０とが常時通信を行っている。
【０１２６】
図１５において、スマートフォン５０は、ユーザの操作により、センサーライト９０の点灯に関するシナリオの削除指示を受け付ける（Ｔ８１）。
【０１２７】
親機１０の制御部１０９は、センサーライト９０の点灯に関するシナリオの削除指示を受け付けると、該当するシナリオを、記憶部１０３に記憶されているスマートコントロール設定テーブル１８０から削除する（Ｔ８２）。そして、制御部１０９は、常時通信フラグをオフ（ＯＦＦ）にする（Ｔ８３）。
【０１２８】
手順Ｔ８４の後、親機１０の制御部１０９は、センサーライト９０に対し、常時通信オフを指示する（Ｔ８４）。
【０１２９】
センサーライト９０のプロセッサ９０１は、常時通信オフの指示を受け付けると、常時通信ＯＦＦ応答を制御部１０９に送信する（Ｔ８５）。プロセッサ９０１は、ＤＥＣＴ無線Ｉ／Ｆ部９０２にスリープを設定する（Ｔ８６）。ＤＥＣＴ無線Ｉ／Ｆ部９０２はスリープ状態に移行する（Ｔ８７）。これにより、センサーライト９０は、親機１０との間で通信を不可状態にすることで、常時通信を行う必要がなく、消費電力の増大を抑制することができる。
【０１３０】
このように、ユーザのスマートフォン５０に対する操作によってセンサーライト９０の点灯に関するシナリオが削除されると、親機１０は、センサーライト９０に対し、常時通信オフの設定を行う。従って、親機１０は、ユーザの都合のいい時に、センサーライト９０と親機１０自身との間の通信を常時通信オフに切り替えることができ、使い勝手が向上する。
【０１３１】
以上により、本実施形態の監視カメラシステム５では、センサーライト９０は、通信のスリープモード中にイベントを検知する（例えば人の動きを検知したり定期通信等を行ったりする）場合、スリープモードをオフにし、親機１０に対して人感検知を含む動作検知等の通知を送信する。親機１０は、動作検知等の通知を受信すると、通信継続指示としての常時通信オン指示を生成してセンサーライト９０に送信する。センサーライト９０は、常時通信オン指示の受信に基づいて、スリープモードのオフ状態を継続する。このように、親機１０は、センサーライト９０におけるスリープモードのオフ状態を継続させる設定（つまり、常時通信オンの設定）に切り替えることが可能である。このため、親機１０は、センサーライト９０が常に通信を行わなくても、センサーライト９０との間で情報を送受信する際にセンサーライト９０との間で連携することができ、更に、その連携時に限ってセンサーライト９０を常時通信可能にするので、センサーライト９０の動作時の省電力化が図れ、使い勝手の劣化を抑制することができる。
【０１３２】
また、センサーライト９０の動作（例えば点灯、消灯）に関するシナリオが携帯電話端末としてのスマートフォン５０等の外部機器の操作又は親機１０の表示部１０６への操作により生成されると、親機１０は、シナリオのデータをメモリとしての記憶部１０３に記憶し、さらにセンサーライト９０に送信する。これにより、ユーザは、スマートフォン５０を操作することで所望のシナリオを生成することができ、使い勝手が向上する。また、ユーザは、シナリオを生成することで、センサーライトを用いた動作を任意に設定することができる。
【０１３３】
また、センサーライト９０は、イベントとして、移動体（例えば人）が感知されたことを検知する。これにより、移動体の動作検知を速やかに親機に通知できる。従って、省電力化を図りつつ、検知対象の人物が侵入者等の不審者である場合には監視カメラシステム５における防犯性能を維持できる。また、監視カメラシステム５が防犯用途に用いられない場合でも、センサーライト９０が人物の検知結果を速やかに親機１０に通知できることで、親機１０がセンサーライト９０の人物検知を起動トリガにしたスマートコントロールの処理を効果的に行うことができ、利便性が向上する。
【０１３４】
また、センサーライト９０は、イベントとして、親機１０との間の定期通信の時刻に達したことを検知する。これにより、定期的にセンサーライト９０と親機１０との間で通信が可能となり、通信開始のトリガがセンサーライト側にある場合でも、親機が通信する機会を確保できる。
【０１３５】
また、スマートフォン５０の操作によりセンサーライト９０の動作（例えば点灯、消灯）に関するシナリオのデータが削除されると、親機１０は、通信継続解除指示としての常時通信オフ指示を生成してセンサーライト９０に送信する。センサーライト９０は、常時通信オフ指示を受信すると、スリープモードのオン状態に移行する。このように、常時通信オフの設定に切り替え可能であるので、センサーライト９０と親機１０とが連携しなくてもよい時には、センサーライト９０の消費電力が抑えられ、省電力化を図ることができる。
【０１３６】
以上、図面を参照しながら実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１３７】
例えば上述した本実施形態では、ユーザは、親機に接続されるスマートフォンからシナリオの設定・解除を行っていたが、親機１０に接続されるＰＣ等の電子機器（不図示）にインストールされたブラウザソフトウェアに対する操作からその設定・解除を行ってもよい。
【産業上の利用可能性】
【０１３８】
本発明は、センサーライトを常時通信させることなく、親機との間で連携するときに限って常時通信を開始させ、センサーライトの省電力化が図れるとともに使い勝手の劣化を抑制する監視システム及び監視方法として有用である。
【符号の説明】
【０１３９】
５  監視カメラシステム
８  宅内
１０  親機
１０ａ  差込口
２０、２０Ａ、２０Ｂ  子機
３０  カメラ
３０Ａ  屋内カメラ
３０Ｂ  監視カメラ
４０、４０Ａ、４０Ｂ、４０Ｃ、４０Ｄ  センサ
５０  スマートフォン
６０  無線ルータ
６５  インターネット
７０  携帯電話機
７５  携帯電話網
８０  スマートプラグ
８５  固定電話網
９０  センサーライト
１０１  固定電話回線Ｉ／Ｆ部
１０３、２４２、３０３、４４２、５０４、８４２  記憶部
１０４、２４３、３０４、５０５  音声入出力制御部
１０５、２４４、３０５、８４１  操作部
１０６、２４５、８４５  表示部
１０７、２４８、３１８、４４８、８４８、９０２  ＤＥＣＴ無線Ｉ／Ｆ部
１０８、２４９、３１７、４４９、８４９  ＤＥＣＴプロトコル制御部
１０９、２４７、３０９、４４７、５０６、８４７  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
１８０  スマートコントロール設定テーブル
２５０、５５０  ２次電池
３１２  撮像部
３１３  赤外線センサ
３１４  電源部
３１５  画像メモリ
３１６  画像メモリ制御部
４４５  表示ランプ
４５０  充電池
４５３  センサ部
５０１  ３Ｇ／４Ｇ無線Ｉ／Ｆ部
５０２  ３Ｇ／４Ｇプロトコル制御部
５０３  表示／操作部（タッチパネル）
５１１  ＵＳＢ通信Ｉ／Ｆ部
５１４  監視機能制御部
８００  固定電話機
８５１  プラグ端子
８５２  コンセント端子
８５３  ソレノイドコイル
８５０、８５４  スイッチ部
８５５  電流検出素子
９０１  プロセッサ
９０１ｙ  消灯遅延時間計測タイマ
９０１ｚ  点灯時間計測タイマ
９０３  ＤＥＣＴプロトコル処理部
９０４  メモリ
９０５  照度センサ
９０６  動作センサ
９０７  ライト
９０８  電池
ＧＭ  スマートコントロール設定画面
【図１】
0006635260.tif 000002
【図２】
0006635260.tif 000003
【図３】
0006635260.tif 000004
【図４】
0006635260.tif 000005
【図５】
0006635260.tif 000006
【図６】
0006635260.tif 000007
【図７】
0006635260.tif 000008
【図８】
0006635260.tif 000009
【図９】
0006635260.tif 000010
【図１０】
0006635260.tif 000011
【図１１】
0006635260.tif 000012
【図１２】
0006635260.tif 000013
【図１３】
0006635260.tif 000014
【図１４】
0006635260.tif 000015
【図１５】
0006635260.tif 000016